Podtech/llm-jp-corpus-v4-ja_patent huggingface dataset:
(57)【要約】      （修正有）【課題】水道の衛生・安全面を考慮し、導水管内に混入するエアによる水圧低減を防ぎ、水圧の確認を容易にする水道直結型スプリンクラーを提供する。【解決手段】一般水道設備系統から分岐したスプリンクラー導水管の分岐部の直近に逆支弁１を取り付ける。スプリンクラーシステム内で接続されるスプリンクラーヘッド６に接続する導水管の端末部を一般水道水栓２に接続する。導水管の縦管の頂部に自動エア抜き弁３を設置し、各階の分岐部分の直近に止水弁を取付ける。各階のスプリンクラーシステムの最遠端末に、圧力計・水栓５を設ける。【選択図】図１
0003158796.tif 000002
【実用新案登録請求の範囲】
【請求項１】
建築物の一般水道設備系統から分岐する水道直結型スプリンクラー設備で  分岐した直近に逆止弁を取り付けた水道直結型スプリンクラーシステム。
【請求項２】
スプリンクラーシステム内の適当な数のスプリンクラーヘッドに接続された導水管の端末部を一般水道水栓に接続し、導水管の途中に自動エア抜き弁を取り付け、各階の導水管の最遠端部に圧力計・水栓を設置し、各階に分岐した直近部に止水弁を取り付けた請求項1に記載の水道直結型スプリンクラーシステム。
【請求項３】
前記各階に分岐する部分に取り付ける止水弁は室内側に取り付けることを特徴とした請求項2に記載の水道直結型スプリンクラーシステム。
【考案の詳細な説明】
【技術分野】
【０００１】
本考案は水道直結型スプリンクラーの接続 及び その導水管の配管方法に関するものである。
【背景技術】
【０００２】
スプリンクラーシステムの一つである水道直結型スプリンクラーは、水道本管から敷地内に引き込まれた給水管の一般水道設備系統からスプリンクラーシステムを直接分岐・接続することによって、水道事業者が提供する水圧を利用してスプリンクーヘッドに必要水圧の水を供給するシステムである。
【先行技術文献】
【特許文献】
【０００３】
【特許文献１】特開２００６−２０４６４４号公報
【考案の概要】
【考案が解決しようとする課題】
【０００４】
しかしながら、通常の一般水道設備系統に分岐・接続するだけでは、スプリンクラーシステムの導水管内の水が滞留水となり、それが逆流して一般水道設備系統にその滞留水が混入し、一般水道設備系統の水道水の安全・衛生を脅かす恐れがある。
【０００５】
また、スプリンクラーシステム導水管内にエアが発生してスプリンクラーヘッドに必要な水圧の確保が困難になる可能性があるし、随時  水圧の監視をすることが容易でない。さらに誤作動により一つのスプリンクラーヘッドが開いたときには水道の元全を閉めるまでそのスプリンクラーヘッダから流れ出る水を止めることができない。
【０００６】
そこで本考案は、スプリンクラーシステム導水管内の水の循環を促し滞留水ができにくい状態を作り、かつ一般水道設備系統への滞留水の逆流を防ぎ、一般水道設備系統に流れる水の安全性・衛生性を確保すると同時に、スプリンクラーシステム導水管内に発生したエアを抜くことによってスプリンクラーヘッドへの水圧低減を防ぎ、各階の分岐部分に設けた止水弁によって、速やかに各階のシステムを閉鎖させ、随時  スプリンクラーヘッドにかかる水圧確認を容易にできる水道直結型スプリンクラーシステムの提供を課題とする。
【課題を解決するための手段】
【０００７】
上記の課題は、一般水道設備系統から分岐した直近に逆止弁を設けることを特徴とし、
スプリンクラーシステム内の適当な数のスプリンクラーヘッドに接続された導水管の端末部をトイレ・洗面など一般水道設備水栓に接続させることを特徴し、
各階のスプリンクラーを分岐するための縦導水管の最頂部に自動エア抜き弁を設けることを特徴とし、
スプリンクラーシステムの各階へ分岐した屋内部分に止水栓を設けることを特徴とし、
スプリンクラーシステムの各階の最遠端に圧力計及び水栓を設けることを特徴とした水道直結型スプリンクラーシステムによって解決される。
【考案の効果】
【０００８】
本考案によれば、一般水道設備系統から分岐した直近に設けられた逆止弁によって、スプリンクラー系統に流れこんだ水の一般水道設備系統への逆流が防げることができる。
【０００９】
スプリンクラーシステム内の適当な数のスプリンクラーヘッドを接続する導水管の端末部をトイレ・洗面など一般水道水栓に接続させることで導水管内の水の循環を促し、滞留水のできにくい状態を作る。
【００１０】
各階のスプリンクラーを分岐するための縦導水管の最頂部に自動エア抜き弁を設けることにより、スプリンクラーシステム導水管内に発生したエアが自動的に抜かれるので、混入エアによるスプリンクラーヘッドへの水圧低減を防ぐことができる。
【００１１】
スプリンクラーシステムの各階へ分岐した直近に止水栓を設けることで、誤作動によるスプリンクラーヘッドの開放時には、その止水弁を閉じることにより、速やかにその階のシステムを閉鎖し，漏水被害を最小限におさえることができる。
【００１２】
さらに、スプリンクラーシステムの各階の最遠端に圧力計及び水栓を設けることにより、各階システムの水圧の確認を容易にし、また  導水管内の水の循環を促して滞留水のできにくい状態をつくることができる。
【図面の簡単な説明】
【００１３】
【図１】本考案にかかる一実施形態を示す説明図である。
【考案を実施するための形態】
【００１４】
本考案の一つの実施形態を図1に示す。通常の一般水道設備系統は「→一般水道設備系統へ給水」方向へ流れる系統である。この系統に「↑水道直結型スプリンクラーシステムへ給水」方向へ水道直結型スプリンクラーシステムが直結されるのであるが、その接続付近に1逆止弁が設けられる。１逆止弁に接続される導水管は縦管によって1・２又は３階へ分岐し、その分岐した直近に４止水栓が設置される。各階へ分岐する導水管の縦管の頂部には、３自動エア抜き弁を設置する。各階の横引きの導水管から分岐したクラスター状の６スプリンクラーヘッドに接続した導水管の端末は、トイレ・洗面などの２一般水道水栓に繋ぎこむ。さらに各階の導水管の最遠端部には５圧力計・水栓を設置する。
【００１５】
本考案の各階へ分岐するための縦導水管，及び  各階のスプリンクラーシステムの最遠端部は屋外  若しくは  屋内のどちらの配管でも効果は同じである。
【符号の説明】
【００１６】
１  逆止弁
２  一般水道水栓              
３  自動エア抜き弁
４  止水栓 
５  圧力計・水栓
６  スプリンクラーヘッド
【図１】
0003158796.tif 000003
【手続補正書】
【提出日】平成22年2月10日(2010.2.10)
【手続補正１】
【補正対象書類名】実用新案登録請求の範囲
【補正対象項目名】請求項１
【補正方法】変更
【補正の内容】
【請求項１】
建築物の一般水道設備系統から分岐する水道直結型スプリンクラー設備において，前記一般水道設備系統から分岐したスプリンクラー導水管の前記分岐部の直近に逆止弁を取り付けた水道直結型スプリンクラーシステム。
(57)【要約】      （修正有）【課題】使用者の頭部を安定させ、頭部に腐敗の進行を遅らせるための、ドライアイスを収納できる遺体専用まくらを提供する。【解決手段】使用者の頭部が凹部に収まることにより、移動をおさえ、まくら本体の両側面が開閉することにより、まくら内部に収納空間を作ることができ、マジックテープ（登録商標）で開閉部を止めることとする。【選択図】図２
0003158792.tif 000002
【実用新案登録請求の範囲】
【請求項１】
まくら本体において、頭部の位置を凹にしたことにより、頭部に安定性をもたせるを特徴とする遺体専用まくら。
【請求項２】
まくらの両側面に開閉部をもうけ、その部分にドライアイス（登録商標）を収納するを目的とした特徴をもつ遺体専用まくら。
【考案の詳細な説明】
【技術分野】
【０００１】本考案は、まくら本体に使用者の頭が凹部に収まる構造であること、まくら本体にドライアイス（登録商標）を収納できることの考案をもたせたまくら。
【背景技術】
【０００２】使用者の頭部の安定と、外部に出ていたドライアイス（登録商標）をまくら本体に収納することができる。
【考案の概要】
【考案が解決しようとする課題】
【０００３】使用者の頭部が凹部に収まることで、頭部が安定する。夏はドライアイス（登録商標）が必要であり、従来はまくらの横に置いていたドライアイス（登録商標）をまくら本体に収納すること。それが考案を解決しようとする課題である。
【課題を解決するための手段】
【０００４】課題を有効に達するために、使用者の頭部の上部、両側部を高くして、使用者の頭部が美しく収まり、安定性をはかる。まくら本体の両側面を開閉式にすることにより、ドライアイス（登録商標）の出し入れができる構造に成した遺体専用まくら。
【考案の効果】
【０００５】使用者の頭部の安定性と、まくらの外にあったドライアイス（登録商標）をまくら内部に収納することにより、ドライアイス（登録商標）の使用者にたいする機能を上昇することができる。
【図面の簡単な説明】
【０００６】
【図１】  立面図
【図２】  断面図
【符号の説明】
【０００７】    １  まくらの外上部
２  まくらの外側面
３  まくらの外前面
４  使用者の頭部が収まる部分
５  まくらの外前面
６  使用者の側面
ａ  内部上部
ｂ  内部前部
ｃ  内部そこ部
ｄ  マジックテープ（登録商標）
ｅ  マジックテープ（登録商標）
ｆ  内部側面
【図１】
0003158792.tif 000003
【図２】
0003158792.tif 000004
【手続補正書】
【提出日】平成22年2月5日(2010.2.5)
【手続補正１】
【補正対象書類名】実用新案登録請求の範囲
【補正対象項目名】全文
【補正方法】変更
【補正の内容】
【実用新案登録請求の範囲】
【請求項１】
まくら本体において、頭部の位置を凹にしたことにより、頭部に安定性をもたせることを特徴とする遺体専用まくら。
【請求項２】
ドライアイスを収納するために、まくらの両側面に開閉部を設けたことを特徴とする、請求項１記載の遺体専用まくら。
【手続補正２】
【補正対象書類名】明細書
【補正対象項目名】全文
【補正方法】変更
【補正の内容】
【考案の詳細な説明】
【技術分野】
【０００１】本考案は、まくら本体に使用者の頭が凹部に収まる構造であること、まくら本体にドライアイスを収納できることの考案をもたせたまくら。
【背景技術】
【０００２】使用者の頭部の安定と、外部に出ていたドライアイスをまくら本体に収納することができる。
【考案の概要】
【考案が解決しようとする課題】
【０００３】使用者の頭部が凹部に収まることで、頭部が安定する。夏はドライアイスが必要であり、従来はまくらの横に置いていたドライアイスをまくら本体に収納すること。それが考案を解決しようとする課題である。
【課題を解決するための手段】
【０００４】課題を有効に達するために、使用者の頭部の上部、両側部を高くして、使用者の頭部が美しく収まり、安定性をはかる。まくら本体の両側面を開閉式にすることにより、ドライアイスの出し入れができる構造に成した遺体専用まくら。
【考案の効果】
【０００５】使用者の頭部の安定性と、まくらの外にあったドライアイスをまくら内部に収納することにより、ドライアイスの使用者にたいする機能を上昇することができる。
【図面の簡単な説明】
【０００６】
【図１】立面図
【図２】断面図
【符号の説明】
【０００７】１  まくらの外上部
２  まくらの外側面
３  まくらの外前面
４  使用者の頭部が収まる部分
５  まくらの外前面
６  使用者の側面
ａ  内部上部
ｂ  内部前部
ｃ  内部そこ部
ｄ  マジックテープ（登録商標）
ｅ  マジックテープ（登録商標）
ｆ  内部側面
(57)【要約】      （修正有）【課題】靴下の内側に履くことを目的とし、足の指間や足の裏からの出る汗を吸湿して、悪臭が発生するのを防止する靴下用下着を提供する。【解決手段】繊維状超吸水性繊維ポリマーからなる不織布層と、その外側をゴム状弾性体を織り込んだ伸縮性と通気性を有する織物地層で覆った布地で靴下用下着１を構成する。さらに、踵部２１を切欠いた、底部２に、先端部３１が閉塞し５本の指を別個に挿入することができる袋指部３と、踵止め部４とを設けて一体成形する。【選択図】図１
0003158735.tif 000002
【実用新案登録請求の範囲】
【請求項１】
繊維状超吸水性繊維ポリマーからなる不織布層と、前記不織布層の外側を覆ったゴム状弾性体を織り込んだ伸縮性と通気性を有する織物地層とからなる布地で成形した靴下用下着であって、
踵部が切欠けしている底部に、先端部が閉塞し５本の指が別個に挿入できる袋指部と、踵止め部とを一体成形したことを特徴とする靴下用下着。
【考案の詳細な説明】
【技術分野】
【０００１】
本考案は、足の汗を吸湿する靴下用下着に関する。
【背景技術】
【０００２】
近年においては、生活習慣の洋風化により一年中靴を履く生活を強いられる。靴は足を覆うので通気性が悪く、特に夏季期間において、靴の中で足がムレ、足の指間や足の裏より汗をかき、その汗が吸湿されずにそのまま靴の中に存在することで雑菌が繁殖し、それにより悪臭を放つとの不具合があった。
【０００３】
下記特許文献には、足ムレや足臭等の不具合に対し高吸水性樹脂（高分子吸水剤）を利用した靴下により解決することが提案されているが、５本の指が別個に挿入される状態でないために足の指間に発生する汗を吸湿することができなかった。
更に、吸水層の外側を防水層で覆う構造であるので、一層足ムレが生じてしまうとの問題点もあった。
【先行技術文献】
【特許文献】
【０００４】
【特許文献１】実開平０５−１０４０４号公報
【考案の概要】
【考案が解決しようとする課題】
【０００５】
本考案はかかる問題点を解決するためになされたものであって、その目的とするところは、足の指間や足の裏からの出る汗を吸湿して、悪臭を放つのを防止する靴下用下着を提供することである。
【課題を解決するための手段】
【０００６】
上記目的を達成するため、本考案の請求項１に係る靴下用下着は、繊維状超吸水性繊維ポリマーからなる不織布層と、前記不織布層の外側を覆ったゴム状弾性体を織り込んだ伸縮性と通気性を有する織物地層とからなる布地で成形した靴下用下着であって、踵部が切欠けしている底部に、先端部が閉塞し５本の指が別個に挿入できる袋指部と、踵止め部とを一体成形したことを特徴とするものである。
【考案の効果】
【０００７】
上記構成を備えた靴下用下着は、５本の足の指が別個に挿入することが出来る袋指部を有しているので、足の指間に発生した汗についても吸湿することができる。しかも、布地は、肌に直接接する層が繊維状超吸水性繊維ポリマーからなる不織布層であり、その外側をゴム状弾性体を織り込んだ伸縮性と通気性を有する織物地層が覆っているので、吸湿性の良い繊維状超吸水性繊維ポリマーからなる不織布層を肌に密着させることができ、凹部に発生した汗でも直ちに吸湿することができる。
【図面の簡単な説明】
【０００８】
【図１】本考案の実施形態の靴下用下着の斜視図である。
【図２】図１におけるＡ−Ａの断面説明図である。
【図３】本考案の実施形態の靴下用下着を足に履いた時の状態を示す説明図である。
【考案を実施するための形態】
【０００９】
以下に図面を参照して、この考案の好適な実施の形態を例示して説明する。
【００１０】
図１は、この考案の一実施形態の靴下用下着を示す斜視図、図２は、図１におけるＡ−Ａで切断した状態の断面説明図、図３は、図１の靴下用下着を足に履いた時の状態を示す説明である。
【００１１】
１はこの考案の一実施形態を示す靴下用下着であり、図２に示すように、内側の肌に接する層が繊維状超吸水性繊維ポリマーからなる不織布層１１で、その外側にゴム状弾性体を織り込んだ伸縮性を有すると共に編目が粗い編み方により通気性を良くした織物地層１２が積層された布地で成形されている。尚、図は、右足用の靴下用下着を表わしているが、左足用のものはこれと対称であるから、表示と説明は省略する。
【００１２】
２は底部で、踵部２１が切欠けしている。３は袋指部で、５本の指が別個に挿入されるようになっていて、先端部３１は閉塞していて、底部２と一体成形されている。また、４は踵止め部であり、同じく底部２と一体成形されている。尚、図には側部５が形成されているが、通気性を良くするために側部５は、なくても良い。
【００１３】
以上の通り、本考案に係る靴下用下着１は、繊維状超吸水性繊維ポリマーからなる不織布層１１と、その不織布層１１の外側をゴム状弾性体を織り込んだ伸縮性と通気性を有する織物地層１２で覆った布地で成形されているので、肌に接する内側の不織布層１１が発生した汗を直ちに吸湿することが可能となる。特に、外側を覆って積層されているゴム状弾性体を織り込んだ伸縮性を有する織物地層１２が不織布層１１を肌に密着させるので、指の付け根等の凹部でも不織布層１１が密着し、凹部で発生した汗も直ちに吸湿することが可能となる。しかも、織物地層１２は、ゴム状弾性体が織り込まれているが編目を粗くし通気性を良くしているので、足ムレが一層起り易くなるのを防止することが可能となっている。
【００１４】
更に、袋指部３が形成されているので、５本の指の間に発生した汗も吸湿することが可能となると共に、袋指部３と踵止め部４とが底部２に一体成形されているので、挿入した５本の指を袋指部３に密着させ、指の部分で発生する汗も直ちに吸湿することが可能となる。
【符号の説明】
【００１５】
１      靴下用下着
２      底部
３      袋指部
４      踵止め部
５      側部
１１    繊維状超吸水性繊維ポリマーからなる不織布層
１２    織物地層
２１    踵部
３１    先端部
【図１】
0003158735.tif 000003
【図２】
0003158735.tif 000004
【図３】
0003158735.tif 000005
(57)【要約】【課題】半導体プロセスにおいて、容易に作製されることができ、そして、素子の信頼性が向上される絶縁層のある貫通孔構造を提供する。【解決手段】高温貫通孔ユニットと、高温貫通孔ユニットに対応し、酸素雰囲気において、高温貫通孔ユニットによって多数の貫通孔が形成され、また、各貫通孔を形成する時、高温貫通孔ユニットの高温により、その内縁において、それぞれ、絶縁層が形成されるキャリアプレートと、それぞれ、各貫通孔に設けられた伝導媒体と、が含有される。【選択図】図１
0003158716.tif 000002
【実用新案登録請求の範囲】
【請求項１】
高温貫通孔ユニットと、
高温貫通孔ユニットに対応し、酸素雰囲気において、高温貫通孔ユニットによって多数の貫通孔が形成され、また、各貫通孔を形成する時、高温貫通孔ユニットの高温により、その内縁において、それぞれ、絶縁層が形成されるキャリアプレートと、
それぞれ、各貫通孔に設けられた伝導媒体と、
が含有されることを特徴とする絶縁層のある貫通孔構造。
【請求項２】
上記高温貫通孔ユニットは、レーザーであることを特徴とする請求項１に記載の絶縁層のある貫通孔構造。
【請求項３】
上記キャリアプレートは、シリコン（Si）材質からなることを特徴とする請求項１に記載の絶縁層のある貫通孔構造。
【考案の詳細な説明】
【技術分野】
【０００１】
本考案は、絶縁層のある貫通孔構造に関し、特に、半導体プロセスにおいて、容易に作製されることができ、そして、素子の信頼性が向上されるものに関する。
【背景技術】
【０００２】
一般の、従来の半導体プロセスにおいて、関連するキャリアプレートに、多数の貫通孔が設置されることが多く、また、貫通孔内に、伝導材料が充填されて、キャリアプレートの両表面に対して伝導するが、一般の、従来の方法によれば、工具で、キャリアプレートに多数の貫通孔を形成した後、各貫通孔の内壁面に、印刷や塗布、インクジェット、化学蒸着（DVD）、物理蒸着（PVD）、スパッタリング、電解鍍金或いは無電解鍍金の方式により、絶縁層が形成され、絶縁層により、キャリアプレートの短絡が防止され、その後、貫通孔中内に、伝導材料が充填され、キャリアプレートの両表面を伝導する効果が得られる。
【０００３】
しかしながら、従来のプロセスは、キャリアプレートに、貫通孔を形成してから絶縁層を設置し、最後に、伝導材料を充填するため、製造過程が、複雑になり、また、歩留まりが悪いから、素子の信頼度が低下され、そのため、従来のプロセスは、実用的とは言えない。
【０００４】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００５】
本考案の主な目的は、半導体プロセスにおいて、容易に作製されることができ、そして、素子の信頼性が向上される絶縁層のある貫通孔構造を提供する。
【課題を解決するための手段】
【０００６】
本考案は、上記の目的を達成するため、高温貫通孔ユニットと、高温貫通孔ユニットに対応し、酸素雰囲気において、高温貫通孔ユニットによって多数の貫通孔が形成され、また、各貫通孔を形成する時、高温貫通孔ユニットの高温により、その内縁において、それぞれ、絶縁層が形成されるキャリアプレートと、それぞれ、各貫通孔に設けられた伝導媒体と、が含有される、ことを特徴とする絶縁層のある貫通孔構造である。
【０００７】
以下、図面を参照しながら、本考案の特徴や技術内容について、詳しく説明するが、それらの図面等は、参考や説明のためであり、本考案は、それによって制限されることが無い。
【図面の簡単な説明】
【０００８】
【図１】本考案の外観概念図
【図２】本考案の絶縁層の成型状態概念図
【図３】本考案のキャリアプレートの断面状態概念図
【考案を実施するための形態】
【０００９】
図１と図２及び図３は、それぞれ、本考案の外観概念図と本考案絶縁層の成型状態概念図及び本考案のキャリアプレートの断面状態概念図である。図のように、本考案は、絶縁層のある貫通孔構造であり、少なくとも、高温貫通孔ユニット１とキャリアプレート２及び伝導媒体３から構成される。
【００１０】
上記の高温貫通孔ユニット１は、レーザーや高温熱束である。
【００１１】
上記キャリアプレート２は、シリコン（Si）や、シリコンドーピング、例えば、シリコンに、ホウ素(Boron)やリン(Phosphorus)、ヒ素(Arsenic)或いはアンチモン(Antimony) 等の元素がドーピングされて形成されたN型材質やP型材質であり、また、上記キャリアプレート２は、高温貫通孔ユニット１に対応して、高温貫通孔ユニット１により、キャリアプレート２に、多数の貫通孔２１が形成され、そして、各貫通孔２１を形成する時、その内縁に、それぞれ、絶縁層２２が形成される。
【００１２】
各伝導媒体３は、それぞれ、各貫通孔２１の中に設けられ、各伝導媒体３は、銀ペーストでも良い。上記の構造により、新規の絶縁層のある貫通孔構造が構成される。
【００１３】
本考案は、半導体プロセスに適用されることができ、例えば、メモリプロセスやCMOSプロセスに適用でき、本考案によれば、キャリアプレート２の一面と高温貫通孔ユニット１とを対向して、上記高温貫通孔ユニット１により、酸素雰囲気において、キャリアプレート２に孔を形成し、キャリアプレート２に、多数の貫通孔２１が形成され、また、高温貫通孔ユニット１で、キャリアプレート２に、各貫通孔２１を形成する時、同時に、高温貫通孔ユニット１の高温を利用して、その内縁に、それぞれ、自然的に二酸化シリコンの絶縁層２２を形成し、その後、各貫通孔２１内に、伝導媒体３を充填することにより、キャリアプレート２の両面が伝導され、これにより、その後のプロセスがスムーズに行われ、そのため、容易に作製され、また、素子の信頼性が向上される。
【００１４】
以上のように、本考案に係る絶縁層のある貫通孔構造は、有効に、従来の諸欠点を解消でき、本考案は、半導体プロセスに適用される時、容易に作製され、また、素子の信頼性が向上される効果が得られる。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００１７】
１    高温貫通孔ユニット
２    キャリアプレート
２１  貫通孔
２２  絶縁層
３    伝導媒体
【図１】
0003158716.tif 000003
【図２】
0003158716.tif 000004
【図３】
0003158716.tif 000005
(57)【要約】      （修正有）【課題】設置スペースを減らし、かつ、良好な散熱と遮光の性能を備えるビデオデバイスを提供する。【解決手段】ビデオデバイス１は、レンズモジュール１０、イメージセンサー２０、印刷回路板３０、金属板４０を備える。印刷回路板３０は開口を備え、イメージセンサー２０を開口内に設置し、レンズモジュール１０を印刷回路板３０上に設置し、金属板４０は印刷回路板３０の片面上に粘着させて固定する。【選択図】図４
0003158719.tif 000002
【実用新案登録請求の範囲】
【請求項１】
レンズモジュール、イメージセンサー、印刷回路板、金属板を備え、
前記印刷回路板は、開口を備え、前記イメージセンサーを、前記印刷回路板の開口内に設置し、前記レンズモジュールを、前記印刷回路板上に設置し、
前記金属板は、前記印刷回路板の片面上に粘着させて固定することを特徴とするビデオデバイス。
【請求項２】
前記レンズモジュールは、レンズ、サポート台、赤外線板を備え、
前記レンズの外周には、調整ネジヤマを設置し、
前記サポート台は、基部を備え、前記基部の中央部には、凸部を突出状に設置し、前記凸部上には、前記基部を上下に貫通する係合支持孔を陥没状に設置し、前記係合支持孔の内周にも、調整ネジヤマを設置し、
前記レンズは、外周の調整ネジヤマを介し、前記サポート台の調整ネジヤマに螺合され、前記赤外線板と接続することを特徴とする請求項１に記載のビデオデバイス。
【考案の詳細な説明】
【技術分野】
【０００１】
本考案はビデオデバイスに関し、特にコンパクトな電子製品に応用するビデオデバイスに関する。
【背景技術】
【０００２】
図５に示すように、従来のビデオデバイス８０は、レンズモジュール８１、イメージセンサー８２、印刷回路板８３を備える。
イメージセンサー８２は、印刷回路板８３の表面上に設置する。
レンズモジュール８１は、イメージセンサー８２上を覆って設置し、印刷回路板８３と相互に接触する。
配線８４は、印刷回路板８３とイメージセンサー８２との電気的連接の目的を実現する。
【０００３】
しかし、上記した従来のビデオデバイス８０のイメージセンサー８２は、印刷回路板８３の表面に設置するため、全体的な高さが高くなり、必要とされる設置スペースが比較的大きい。
そのため、電子製品の小型化には不利である。
本考案は、従来のビデオデバイスの上記した欠点に鑑みてなされたものである。
【考案の概要】
【考案が解決しようとする課題】
【０００４】
本考案が解決しようとする課題は、従来の技術に存在する欠点を解決し、高さを低くすることで、求められる設置スペースを減らすことができるビデオデバイスを提供することである。
【課題を解決するための手段】
【０００５】
上記課題を解決するため、本考案は下記のビデオデバイスを提供する。
ビデオデバイスは、レンズモジュール、ビデオセンサー、印刷回路板、金属板を備え、
該印刷回路板は、開口を備え、該ビデオセンサーを、該印刷回路板の開口内に設置し、該レンズモジュールを、該印刷回路板上に設置し、
該金属板は、該印刷回路板の片面上に粘着させて固定する。
【考案の効果】
【０００６】
本考案ビデオデバイスは、イメージセンサーを印刷回路板の開口内に設置することで、全体の高さを低くおさえ、必要とされる設置スペースを減らすことができるため、電子製品の小型化に有利である。
さらに、金属板の設置により、電磁波の干渉防止効果を達成でき、しかもこれにより良好な散熱と遮光の性能を備えることができる。
【図面の簡単な説明】
【０００７】
【図１】本考案ビデオデバイスの立体図である。
【図２】図１に示すビデオデバイスのレンズモジュールの立体分解図である。
【図３】図１に示すビデオデバイスの印刷回路板の立体図である。
【図４】図１に示すビデオデバイスの局部断面模式図である。
【図５】従来のビデオデバイスの局部断面模式図である。
【考案を実施するための形態】
【０００８】
以下に図面を参照しながら本考案を実施するための最良の形態について詳細に説明する。
【０００９】
図１、４に示すように、本考案ビデオデバイス１は、レンズモジュール１０、イメージセンサー２０、印刷回路板３０、金属板４０を備える。
【００１０】
図２に示すように、レンズモジュール１０は、レンズ、サポート台１２、赤外線板１３、固定フレーム１４を備える。
レンズ１１の外周には、調整ネジヤマ１１１を設置し、サポート台１２は、方形で板状を呈する基部１２１を備える。
基部１２１の中央部には、円柱形の凸部１２２を突出状に設置する。
凸部１２２上には、基部１２１を上下に貫通する係合支持孔１２３を陥没状に設置する。
係合支持孔１２３の内周にも、調整ネジヤマ１２４を設置する。
レンズ１１は、外周の調整ネジヤマ１１１を介し、サポート台１２の調整ネジヤマ１２４に螺合されると、赤外線板１３と接続する。
【００１１】
図３に示すように、印刷回路板３０は、長方形で板状の基板３１を備える。
基板３１は、おおよそ中央部に、方形の開口３２を開設する。
【００１２】
図４に示すように、ビデオデバイス１の組立てを行う時には、導電性接着剤を利用し、金属板４０を印刷回路板３０上に粘着させて設置する。
イメージセンサー２０は、印刷回路板３０の開口３２中に設置し、配線５０により、印刷回路板３０とイメージセンサー２０との電気的連接を実現する。
レンズモジュール１０の固定フレーム１４は、導電性接着剤により、イメージセンサー２０上に粘着させて結合する。
赤外線板１３は、固定フレーム１４上に設置し、サポート台１２は、赤外線板１３上を覆って設置する。
レンズ１１は、外周の調整ネジヤマ１１１を介し、サポート台１２内周の調整ネジヤマ１２４に螺合し、赤外線板１３と接続する。
ビデオデバイス１上に、金属板４０を設置し、電磁波の干渉防止効果を達成し、しかもビデオデバイス１は、良好な散熱及び遮光性能を備える。
【００１３】
上記したように、本考案ビデオデバイス１は、イメージセンサー２０を印刷回路板３０の開口３２内に設置することで、全体の高さを低くおさえ、必要とされる設置スペースを減らすことができるため、電子製品の小型化に有利である。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１５】
１  ビデオデバイス
１０  レンズモジュール
１１  レンズ
１１１  調整ネジヤマ
１２  サポート台
１２１  基部
１２２  凸部
１２３  係合支持孔
１２４  調整ネジヤマ
１３  赤外線板
１４  固定フレーム
２０  イメージセンサー
３０  印刷回路板
３１  基板
３２  開口
４０  金属板
５０  配線
【図１】
0003158719.tif 000003
【図２】
0003158719.tif 000004
【図３】
0003158719.tif 000005
【図４】
0003158719.tif 000006
【図５】
0003158719.tif 000007
(57)【要約】      （修正有）【課題】いかなる環境下で使用しても、飲料の保冷性が保て、準備に長い時間を要することなく使用できるジョッキグラスを提供する。【解決手段】アルミ製グラスの周りを氷で冷やすことにより、飲料の保冷効果を擁し、ネジ式の蓋を開閉する事により氷の交換ができるジョッキグラス。グラス部と外側の間に設けた空洞部に氷を入れて冷やす事により飲料の保冷性を保ち、底蓋の開閉により任意の氷の出し入れも可能であり、融解後の氷の入れ替えにより保冷性を持続できる。【選択図】図１
0003158767.tif 000002
【実用新案登録請求の範囲】
【請求項１】
アルミ製グラスの周りを氷で冷やし飲料の保冷性を保ち、ネジ式の蓋を開閉する事により氷の交換ができるジョッキグラス。
【考案の詳細な説明】
【技術分野】
【０００１】本考案は、ジョッキグラスに関するものである
【背景技術】
【０００２】従来より、ジョッキグラス内面に液体を注入し、ジョッキグラスごと凍らせて、注いだ飲み物の温度を持続するジョッキグラスがある。
【考案の概要】
【考案が解決しようとする課題】
【０００３】ところが、前記のジョッキグラスでは凍らせたジョッキグラスが外気温度等により、温くなった場合には飲み物の保冷効果を持続させる効力は無く、また再度ジョッキグラスを凍らすには長い時間を必要とするため、長時間の使用や外気温の高い場合の使用については実用性が希薄であった。【０００４】そこで、本考案はいかなる環境下で使用しても、飲料の保冷性が保て、準備に長い時間を要することなく使用できるものを目的とする。
【課題を解決する為の手段】
【０００５】請求項１に記載の考案は、グラス部と外側の間に空洞を設け、この空洞部に氷を入れてジョッキグラスを氷で冷やす事により飲料が温くなることを和らげ、底蓋の開閉により任意に氷を出し入れできる為、氷の融解後も入れ替えにより再現性がある。
【考案の効果】
【０００６】請求項１に記載の考案によれば、グラス部は熱伝導率の高いアルミ製であることから氷の冷気を飲料に伝えやすく、冷たい飲み物の保冷性を保ちやすくするだけでなく、常温の飲料を少し冷却性もある。
【図面の簡単な説明】
【０００７】
【図１】本考案の実施形態を示した断面図である。
【図２】本考案のグラス部を示す断面図である。
【図３】本考案のパイプを示す断面図である。
【図４】本考案の底蓋を示す断面図である。
【図５】本考案のパイプを覆うゴムを示す断面図である。
【考案を実施するための形態】
【実施例】
【０００８】以下、本考案を具体化した実施形態を図面に基づいて説明する。【０００９】図１に示すように、アルミ製グラス１１の外に空洞を作るようにパイプ１２で覆い、その空洞を底蓋１３で塞ぎ空洞をつくる。【００１０】図１に示すように、パイプ１２の外をゴム１４で覆う。【００１１】底蓋を廻す事によりパイプとの連結をはずし、氷を空洞部に入れる。【００１２】底蓋を廻し、パイプと再度連結させ、氷が入った空洞部を塞ぐ。【００１３】底蓋を底にし、グラス部に飲料を注ぐ。【００１４】保冷効果が著しくなれば［００１１］から［００１３］を繰り返す。
【符号の説明】
【００１５】１１．．．アルミ製グラス
１２．．．パイプ
１３．．．底蓋
１４．．．ゴム
【図１】
0003158767.tif 000003
【図２】
0003158767.tif 000004
【図３】
0003158767.tif 000005
【図４】
0003158767.tif 000006
【図５】
0003158767.tif 000007
【手続補正書】
【提出日】平成21年10月29日(2009.10.29)
【手続補正１】
【補正対象書類名】実用新案登録請求の範囲
【補正対象項目名】全文
【補正方法】変更
【補正の内容】
【実用新案登録請求の範囲】
【請求項１】
アルミ製グラスの外周をプラスティック等で覆っているジョッキグラスにおいて、前記アルミ製グラスと前記プラスティック等の間に空間を設け、この空間に氷を入れることができ、氷の出し入れも可能なジョッキグラス
【手続補正書】
【提出日】平成22年1月28日(2010.1.28)
【手続補正１】
【補正対象書類名】実用新案登録請求の範囲
【補正対象項目名】全文
【補正方法】変更
【補正の内容】
【実用新案登録請求の範囲】
【請求項１】
アルミ製グラスの外周をプラスティックで覆っているジョッキグラスにおいて、前記アルミ製グラスと前記プラスティックの間に空間を設け、この空間に氷を入れることができ、氷の出し入れも可能なジョッキグラス
(57)【要約】      （修正有）【課題】環の厚みを均一化した鎖のレプリカを提供する。【解決手段】シート上に並べて形成された複数の鎖の環同士が交差する交差部分の隣接する部位に、交差部分と同等の面積を有する切片を設け、切片を交差部分に折り曲げて貼り合わせたシートを２枚貼り合わせてなる。【選択図】図１
0003158770.tif 000002
【実用新案登録請求の範囲】
【請求項１】
環の配列を垂直にして交差部分の隣接する部位にスペースをとり、切片を設け、自身のシートに貼合して、相手シートと貼合した部分と同じ厚みにして環の厚みを均一化するもの。
【考案の詳細な説明】
【考案の概要】
【考案が解決しようとする課題】
【００１】シート材による鎖は２枚のシートを貼合によって作成するので、貼合する部分と貼合しない部分で厚みに差ができる、通常の鎖のように厚さを均一にしてくさりにちかいレプリカにする。
【課題を解決するための手段】
【００２】２枚のシートを貼合して鎖を作成するとき、交差する部分を鎖として機能させるとき、シートが１枚、１枚に分離するので厚みに差がでる、差をなくすためそれぞれのシートの隣接する部位に差をなくすための切片を設けて、厚さの均一化をはかる。
【考案の効果】
【００３】環の厚みを均一化できるのでレプリカとして完成度を高めることができます。
【考案を実施するための形態】
【００４】添付図面をもちいて説明します、タック紙を打ち抜き加工して、剥離紙をはがしたときばらつかないように保護紙を貼り、ひっくり返して図１のようにします。
先ず交差部分となる、ホ、ヘ、ト、チ、に対応して、切片、イ、ロ、ハ、ニ、を谷折りして貼合します、次にシート（１）とシート（２）を谷折りして貼合します、そして鎖部分をとりだせば鎖のレプリカができます。
【図面の簡単な説明】
【００５】
【図１】本考案の展開図です
【符号の説明】
【００６】イ、ロ、ハ、ニ、      切片
ホ、ヘ、ト、チ、      交差部
【図１】
0003158770.tif 000003
【手続補正書】
【提出日】平成21年9月11日(2009.9.11)
【手続補正１】
【補正対象書類名】実用新案登録請求の範囲
【補正対象項目名】全文
【補正方法】変更
【補正の内容】
【実用新案登録請求の範囲】
【請求項１】
鎖の環の厚みを均一化するため、環の配列を図１のように垂直にし、各交差部分の隣接する部位に、交差部分と同等の面積を有する切片を設け、切片で凹部を平にして環の厚みを均一にした鎖のレプリカ。
【手続補正書】
【提出日】平成21年11月24日(2009.11.24)
【手続補正１】
【補正対象書類名】実用新案登録請求の範囲
【補正対象項目名】全文
【補正方法】変更
【補正の内容】
【実用新案登録請求の範囲】
【請求項１】
環の構成要素に干渉せず、谷折りができるように、環の配列を垂直にし、環の補集合のなかで、環の交差部に隣接する部位に切片を設けたもの。
【手続補正書】
【提出日】平成22年1月28日(2010.1.28)
【手続補正１】
【補正対象書類名】実用新案登録請求の範囲
【補正対象項目名】全文
【補正方法】変更
【補正の内容】
【実用新案登録請求の範囲】
【請求項１】
シート上に並べて形成された複数の鎖の環同士が交差する交差部分の隣接する部位に、交差部分と同等の面積を有する切片を設け、切片を交差部分に折り曲げて貼り合わせたシートを２枚貼り合わせてなる鎖のレプリカ。
(57)【要約】      （修正有）【課題】ディスクを重ねて置いた時でも書き込んであるソフト内容が解るフロッピー（商標登録）・ディスク又は磁気ディスクに貼るラベルを提供する。【解決手段】フロッピー（商標登録）・ディスク又は磁気ディスクの側面に文字枠が位置するように構成する。【選択図】図１
0003158766.tif 000002
【実用新案登録請求の範囲】
【請求項１】
従来のＦＤＤ（フロピー、ディスク）、とＭＯ（Ｍａｇｎｅｔ  Ｏｐｔｉｃａｌ  Ｄｉｓｃ．）ラベルは外形寸法は同じです。  しかし、ＦＤＤ／ＭＯにラベルを貼って、重ねて置いたときに  ＦＤＤ／ＭＯの書き込んである、ソフト内容が見えなくなってしまうので、（図２）の位置に、重ねて置いても、ソフト内容が書ける文字枠を付けたラベル。
【請求項２】
従来のＦＤＤ（フロピー、ディスク）、ＭＯ（Ｍａｇｎｅｔ  Ｏｐｔｉｃａｌ  Ｄｉｓｃ）ラベルと外形寸法は同じです。  しかし、ＦＤＤ／ＭＯにラベルを貼って、重ねて置いたときに  ＦＤＤ／ＭＯの書き込んである、ソフト内容が見えなくなってしまうので、（図２）の位置に、重ねて置いても、ソフト内容が分るように、ソフト内容が書ける文字枠を付け、その文字枠を色分けした、ＦＤＤ／ＭＯラベル。
【請求項３】
ＦＤＤ／ＭＯの側面に貼るレベル．（図３）、（３−１）、（３−２）
【考案の詳細な説明】
【技術分野】
【０００１】  パソコンに使用する、ＦＤＤ／ＭＯは色々有り、一度に複数のＦＤＤ／ＭＯを使用する為、重ねて置く事が多い。その為、側面からは、ソフト内容が、確認出来ない。
【背景技術】
【０００２】  ＦＤＤ／ＭＯを重ねて置いた時にも、側面より見える位置に文字枠を付けたＦＤＤ／ＭＯラベル。
【考案が解決しようとする課題】
【０００３】ＦＤＤ／ＭＯの側面（後面）に文字枠付き、ＦＤＤ／ＭＯラベル．又は文字枠付きレベル（図３）、（３−１）、（３−２）
【課題を解決するための手段】
【０００４】  本考案は、ＦＤＤ／ＭＯのラベルを重ねて置いた時に、見える位置に文字枠を付ける。又は、側面に貼るラベル
【考案の効果】
【０００５】  このように、側面（後面）に文字枠を付けて記録されている内容が、重ねて置いた時（又は、横にならべた時）でも、そのままでソフト（記録されている）内容が分る。
【図面の簡単な説明】
【０００６】
【図１】：  文字枠付き、ＦＤＤラベル
【図２】：  文字枠付き、ＭＯラベル
【図３】：  文字枠付き、ラベル
【符号の説明】
【０００７】［図１］
１．挿入方向指示
２．ラベル（１）
３．管理番号（Ｎｏ．）記入
４．ソフト内容記入
６．文字枠（２）
７．ラベル（２）
８．“ＷＲＩＴＥ  ＰＲＯＴＥＣＴ”
９．“ＷＲＩＴＥ  ＥＮＡＢＬＥ”
［図２］
１．挿入方向指示
２．ラベル（１）
３．管理番号（Ｎｏ．）記入
４．ソフト内容記入
５．文字枠（２）
７．ラベル（２）
８．“ＷＲＩＴＥ  ＰＲＯＴＥＣＴ”
９．“ＷＲＩＴＥ  ＥＮＡＢＬＥ”
［図３］
１．文字枠
２．ソフト内容記入
３．管理番号（Ｎｏ．）
【図１】
0003158766.tif 000003
【図２】
0003158766.tif 000004
【図３】
0003158766.tif 000005
【手続補正書】
【提出日】平成21年8月20日(2009.8.20)
【手続補正１】
【補正対象書類名】実用新案登録請求の範囲
【補正対象項目名】全文
【補正方法】変更
【補正の内容】
【実用新案登録請求の範囲】
【請求項１】
フロッピー・ディスクと磁気ディスクに使用するラベルの寸法は同じです。  フロッピー・ディスク又は磁気ディスクにラベルを貼って、重ねて置いた時でも、書き込んであるソフト内容が解るように、側面から見える位置に文字枠を付け、書込んであるソフト内容を書いたラベル。
【請求項２】
フロッピー・ディスクと磁気ディスクに使用するラベルの寸法は同じです。  フロッピー・ディスク又は磁気ディスクにラベルを貼って、重ねて置いた時でも、書き込んであるソフト内容が解るように、側面から見える位置に文字枠を付け、ソフト内容を記入出来るようにし、この部分を色分けしたラベル。  又はラベル全体を色分けしたラベル。
【請求項３】
フロッピー・ディスク又は磁気ディスクの側面に貼るラベル［図３］、（３−１）、（３−２）
【手続補正書】
【提出日】平成21年10月22日(2009.10.22)
【手続補正１】
【補正対象書類名】実用新案登録請求の範囲
【補正対象項目名】全文
【補正方法】変更
【補正の内容】
【実用新案登録請求の範囲】
【請求項１】
フロッピー（商標登録）・ディスク又は磁気ディスクに貼るラベルであって前記ディスクを重ねて置いた時でも書き込んであるソフト内容が解るようにフロッピー（商標登録）・ディスク又は磁気ディスクの側面に文字枠が位置するように構成したラベル。
(57)【要約】      （修正有）【課題】一時的に外したマスクを清潔、且つ簡単に収納、取り出しができ、更に予備の未使用マスクと使用中のマスクとを区分けして収納・保管することができるマスク保管ケースを提供する。【解決手段】ケース本体と、２つの内側袋部と、表側袋部からなる。ケース本体は、裏地に抗菌消臭加工をした生地を使用し、且つ一方を縫い合わせ、他方をファスナーにて閉塞される上下カバーにて構成される。内側袋部は上又は下カバーの内面に備えられ、封止具にて、使用済み又は未使用のマスクを収納する。表側袋部は、上カバーの外面に備えられ、カードを収納する。２つの内側袋部の間には、使用途中のマスクを一時的に収納保管する空間を具備する。【選択図】図２
0003158159.tif 000002
【実用新案登録請求の範囲】
【請求項１】
裏地に抗菌消臭加工をした生地を使用し、且つ一方長手側縁を縫い合わせると共に、他方長手側縁及び両方側縁と連なる左右短手側縁をファスナーにて閉塞される上下カバーにて構成されたケース本体と、前記上カバーの内面に備えられると共に、ファスナー、ボタン等の封止具にて使用済みマスクを収納する一方の内側袋部と、更に前記上カバーの外面に備えられると共に、健康保険証、自動車免許証等のカードを収納する表側袋部と、前記下カバーの内面に備えられると共にファスナー、ボタン等の封止具にて未使用マスクを収納する他方の内側袋部と、更に前記上下カバーの夫々の袋部間に使用途中のマスクを一時的に収納保管する空間とを具備して成したことを特徴とする抗菌消臭マスク保管ケース。
【請求項２】
前記ケース本体は、手提げ用吊紐９を装備したことを特徴とする請求項１記載の抗菌消臭マスク保管ケース。
【考案の詳細な説明】
【技術分野】
【０００１】
本考案は飲食時、或いはうがい等で一時的に外したマスクを清潔、且つ簡単に収納・取り出しが出来きる抗菌消臭マスク保管ケースに関する。
【背景技術】
【０００２】
近似、インフルエンザ・風邪等の感染予防、更には花粉症などで日常的にマスクを使用する機会が多くなっているが、飲食時、うがい等で一時的にマスクを外し、更に所用後に再び着用することとなり、そのマスクを外した状態での保管は身近で、而も清潔、抗菌、消臭等が強く求められる。
【考案の概要】
【考案が解決しようとする課題】
【０００３】
マスク使用時において、飲食時、うがい等において一時的に外したマスクを清潔、且つ簡単に収納、取り出しが出来ることと、更に予備用の新鮮なマスクと使用中のマスクとを区分けして収納・保管し、使用者本人には勿論、他人に対しても同様の不快感を与えることへの課題を解決する。
【課題を解決するための手段】
【０００４】
本考案は、裏地に抗菌消臭加工をした生地を使用し、且つ一方長手側縁を縫い合わせると共に、他方長手側縁及び両方側縁と連なる左右短手側縁をファスナーにて閉塞される上下カバーにて構成されたケース本体と、前記上カバーの内面に備えられると共に、ファスナー、ボタン等の封止具にて使用済みマスクを収納する一方の内側袋部と、更に前記上カバーの外面に備えられると共に、健康保険証、自動車免許証等のカードを収納する表側袋部と、前記下カバーの内面に備えられると共にファスナー、ボタン等の封止具にて未使用マスクを収納する他方の内側袋部と、更に前記上下カバーの夫々の袋部間に使用途中のマスクを一時的に収納保管する空間とを具備して成したことを特徴としたものである。
【０００５】
更に本考案は、ケース本体は、手提げ用吊紐を装備したことを特徴としたものである。
【考案の効果】
【０００６】
(１)請求項１により、未使用マスクを清潔に収納・保管し、且つ飲食時、うがい等において一時的に外した使用中マスクを清潔に簡単に収納、或いは取り出しが出来、使用済みマスクを衛生的に収納・保管でき、更に予備用の新鮮なマスクと使用中のマスクとを区分して収納・保管し、使用者本人には勿論  他人に対しても同様の不快感を与えることがない。
又、ケース本体の裏地は抗菌消臭加工生地としているから、ケース本体内でのそれぞれのマスクの雑菌の移行や増殖を抑制し、且つ不快臭を取り除くことが出来る。
【０００７】
（２）請求項２により、手提げ用としても使用できる。
【図面の簡単な説明】
【０００８】
【図１】抗菌・消臭マスク保管ケースの斜視図
【図２】同上の使用状態を示す斜視図
【図３】同上の異なる使用状態を示す斜視図
【図４】上下カバーを閉塞した状態を示す斜視図
【図５】同上の手提げ部分を外した状態を示す斜視図
【考案を実施するための形態】
【０００９】
以下、本考案の実施の形態を図面を参照して説明すると、図１は上下カバー１、２を互いに開蓋した状態を示すケース本体Ｃの斜視図であって、この上下カバー１、２は共に裏地を抗菌消臭加工した生地を使用しており、互いに一方長手側縁１ａ、２ａを縫い合わせると共に、他方長手側縁１ｂ、２ｂ及びこの両長手側縁１ｂ、２ｂと連なる左右短手側縁１ｃ、２ｃをファスナー３にて閉塞される。
【００１０】
ファスナー３はダブルスライダー３ａにて両開きとしている。
更に、上カバー１の内面にはファスナー、ボタン等の封止具４にて使用済みマスクＭｕを収納する一方の内側袋部５を備えており、下カバー２の内面には同様に封止具６にて未使用マスクＭｎを収納する他方の内側袋部７を備えている。
尚、図１においては、下カバー２の内面には未使用マスクＭｎを収納するため他方の内側袋部７は、ファスナー、ボタン等の封止具６を用いずして、単なる袋部７としている。勿論、図２に示す如く、ファスナー、ボタン等の封止具６を用いてもよい。
【００１１】
図３は、未使用マスクＭｎを他方の内側袋部７から取り出して、広げた状態を示している。
而して、図４、５に示す如く、上カバー１の外面には健康保険証、自動車免許証等のカードＰを収納する表側袋部８を備え、又、必要に応じ手提げ用吊紐９を吊環１０にてケース本体Ｃに必要に装備している。
【符号の説明】
【００１２】
Ｃ    ケース本体
Ｍｎ  未使用マスク
Ｍｕ  使用済みマスク
Ｐ    カード
１    上カバー
２    下カバー
３    ファスナー
４    封止具
５    一方の内側袋部
６    封止具  
７    他方の内側袋部
８    表側袋部
【図１】
0003158159.tif 000003
【図２】
0003158159.tif 000004
【図３】
0003158159.tif 000005
【図４】
0003158159.tif 000006
【図５】
0003158159.tif 000007
(57)【要約】      （修正有）【課題】水産生物にとって必要な条件である海中の溶存酸素や基礎生産物である植物プランクトンのいる海域を構築し、水産生物が豊富に生息する海域を構築する為の人工漁礁を提供する。【解決手段】鋼材を材料とし溶接により接合された籠体の中に、充填材として石質材と木質材を充填する。【選択図】図４
0003158158.tif 000002
【実用新案登録請求の範囲】
【請求項１】
鋼材を材料とし溶接により接合された籠体の中に、充填材として石質材と木質材が充填されたことを特徴とする人工漁礁。
【考案の詳細な説明】
【技術分野】
【０００１】
本考案は、鋼製の籠体中に石質材と木質材が充填された人工漁礁に関する。
【背景技術】
【０００２】
海域における海底の隆起部等が好漁場になることから、人工的に同様の形状の構造物を構築することにより、対象とする水産生物の漁獲の増大、操業の効率化、及び保護培養を図る為に人工漁礁が設置されている。
【先行技術文献】
【特許文献】
【０００３】
【特許文献１】特開２００２−１０１７８５
【考案の概要】
【考案が解決しようとする課題】
【０００４】
産業の近代化により流域の汚濁負荷を増大させ、各地で水質に起因する公害が発生するようになった。このことにより、水産生物の生活史にとって重要な沿岸の浅海域において海藻又は海草が繁茂している場所である藻場が貧植生となる磯焼けの現象となっている。
【０００５】
本考案は、藻場が形成される程度の浅瀬に人工的に構造物を設置することにより、藻場を形成し、水産生物の増殖を目的とする。又、製作部材を建設工事により発生する建設副産物（岩塊、伐採木等）を有効利用することにより安価で再生資源を活用した人工漁礁を提供することである。
【課題を解決するための手段】
【０００６】
本考案は前記目的を達成する為に、鋼製の籠体を製作し、該箱体内部に石材及び木根材を充填することを特徴とする。又、内部充填材は建設工事によって発生した建設副産物である岩塊類や伐採木等も利用できることを特徴とする。
【０００７】
本考案における籠体は、溶接により鋼材（等辺山形鋼）及び鉄筋を材料とした立方体形状に製作する。内部充填材は、石質材と木質材で形成され、最上部は石質材とした充填層とする。
【考案の効果】
【０００８】
籠体内に充填した木質材には、水産生物にとっての一次生産である海藻が生育し易く、又、石質材には隙間等が生育した水産生物の産卵場や隠れ場等になり、水産生物の生活史が形成される。
【０００９】
海藻類は光エネルギーと水と二酸化炭素を使って有機物を作り酸素と水を放出することから、該人工漁礁を複数個設置することにより藻場が形成され一次生産者である海藻類の増殖により海中内の溶存酸素が増大し良好な海域となる。
【図面の簡単な説明】
【００１０】
【図１】本考案人工漁礁の籠体の斜視図。
【図２】本考案人工漁礁の籠体の平面図。
【図３】図２のＡ−Ａ線による断面図。
【図４】本考案人工漁礁の斜視図。
【図５】本考案人工漁礁の平面図。
【図６】図５のＢ−Ｂ線による断面図。
【考案を実施するための形態】
【００１１】
溶接により鋼材（等辺山形鋼）２で立方体形の骨組を形成し、鉄筋１を格子状に設置する。該籠体に石質材４の間に点在するように木質材５を充填する。又、籠体上部の隅部には海中の設置及び移動を考慮しフックを設置する。
【実施例１】
【００１２】
以下、添付図面に従って説明する。図１は内部充填材投入前の籠体の斜視図である。図２は図1の平面図、図３は図２のＡ−Ａ線による断面図である。籠体は、鋼材２と鉄筋１を資材とし、それぞれの接合部は溶接により接合されている。鋼材２により立方体形状に骨組みを作り、格子状に鉄筋１を配置する。格子状の隙間は、概ね内部充填材である石質材４の直径より小さいものとする。又、籠体上部の隅部４箇所には鉄筋を材料としたフック３を設置する。
【００１３】
図４は、本考案人工漁礁の完成斜視図である。図５は図４の平面図、図６は図５のＢ−Ｂ線による断面図である。内部充填材は、石質材４に対し適宜木質材５が点在するように構成する。最上部層及び下層部は石質材４とし、下層から中間層に木質材５を配置する。
【符号の説明】
【００１４】
１鉄筋
２鋼材（等辺山形鋼）
３フック
４石質材（岩塊等）
５木質材（木根等）
【図１】
0003158158.tif 000003
【図２】
0003158158.tif 000004
【図３】
0003158158.tif 000005
【図４】
0003158158.tif 000006
【図５】
0003158158.tif 000007
【図６】
0003158158.tif 000008